(57)【特許請求の範囲】
【請求項１】
上位装置から下位装置が取り外されるタンパー行為を検知するタンパー行為検知機構において、
頭部と大径軸部と小径軸部とよりなり、当該小径軸部に形成されたネジ部が前記上位装置のネジ孔に螺合されて、前記下位装置を前記上位装置に固定するネジ部材と、
前記下位装置に設けられるとともに前記大径軸部が貫通する貫通孔と、
前記ネジ部材の締め付け状態では前記大径軸部に押されて前記貫通孔から退避する一方、前記ネジ部材の緩み状態では前記貫通孔に進出するレバー部材と、
前記レバー部材の進退に対応して前記ネジ部材の締め付け状態及び緩み状態を検知する検知スイッチと、を備えることを特徴とするタンパー行為検知機構。
【請求項２】
前記貫通孔に臨む前記レバー部材の端部は、先端に向かって細くなる形状に形成され、
前記端部は、前記貫通孔の前記上位装置側の端部に突出することを特徴とする請求項１記載のタンパー行為検知機構。
【請求項３】
前記大径軸部の直径と前記貫通孔の直径がほぼ等しいことを特徴とする請求項１又は２記載のタンパー行為検知機構。
【請求項４】
前記ネジ孔は、前記下位装置が取り付けられる前記上位装置の取り付け面から突出する第１の凸部に形成されるとともに、
前記貫通孔は、前記第１の凸部を収容するように前記下位装置に設けられた凹部の底に形成されていることを特徴とする請求項１から３のいずれか記載のタンパー行為検知機構。
【請求項５】
前記下位装置が取り付けられる前記上位装置の取り付け面から突出する第２の凸部と、
前記凹部の底に設けられるとともに、前記第２の凸部が押圧することによる押圧力の変化を検知する押圧検知手段を備えることを特徴とする請求項１から４のいずれか記載のタンパー行為検知機構。
【請求項６】
請求項１から５のいずれか記載のタンパー行為検知機構を備えるカード処理装置であって、
前記下位装置は、前記上位装置の開口から露出するフロントフェイス及びカード挿入口を有するベゼルと、
前記カード挿入口に挿入されたカードに記録された情報の読み取り及び書き込みを行うカード処理部と、
前記ベゼルと密着して前記カード処理部を封止するケース体と、
前記フロントフェイスの外周に設けられるとともに、前記下位装置が取り付けられる前記上位装置の取り付け面に当接する固定面と、を備え、
前記凹部は、固定面に設けられたことを特徴とするカード処理装置。
【請求項７】
前記レバー部材は、前記ベゼルから前記カード処理部付近まで延設され、
前記検知スイッチは、前記カード処理部の制御回路に接続されて、前記レバーの作動を検知することを特徴とする請求項６記載のカード処理装置。
【請求項８】
前記検知スイッチ又は前記押圧検知手段の検知に基づいて、前記上位装置から前記下位装置が取り外される可能性を検知すると、
前記カード処理部の所定データが消去されることを特徴とする請求項６又は７記載のカード処理装置。
【発明の詳細な説明】
【技術分野】
【０００１】
本発明は、上位装置から下位装置が不正に取り外されるタンパー行為を検知するタンパー行為検知機構及びこれを備えるカード処理装置に関する。
【背景技術】
【０００２】
一般に、例えば金融機関において、キャッシュレスや個人認証などを実現するためのカードとして、磁気カードやＩＣカードなどが用いられている。磁気カードは、プラスチック基板表面に磁気ストライプが形成されたカードであり、ＩＣカードは、プラスチック基板内部にＩＣチップが埋設されたカードであり、これらに対する情報の読み取り及び書き込みは、磁気ヘッドやＩＣ接点を備えたカード処理装置（カードリーダ）によって行われる。
【０００３】
カード処理装置は、通常時においては、例えばＡＴＭなどの上位装置のパネルに取り付けられている。そして、例えば不正行為によって、このパネルからカード処理装置が取り外されそうになると、その不正行為が様々な手法により検知されるようになっている（例えば特許文献１等参照）。
【０００４】
特許文献１に開示されたＩＣカードリーダ装置では、パネルからカード処理装置が不正に取り外され、暗号ボードに対して物理的な攻撃（タンパー行為）が行われると、それがタンパースイッチによって検出され、暗号ボード内の鍵情報が自動的に消去されるようになっている。その他、セキュリティ対応（ＰＣＩ−ＰＥＤ規格準拠）のカードリーダの要件として、カードリーダが上位装置から取り外された時点で不正を検知する、というものがある。このＰＣＩ−ＰＥＤ対応のカードリーダでは、一般に、上位装置取り付け面（パネル）に面して取り外し検知ＳＷを押すためのレバーが設けられている。そして、このレバーを取り付け面よりも更に押し込むことで、ＳＷがＯＮされ、カードリーダが上位装置から取り外されたことが検知されるようになっている。
【０００５】
【特許文献１】特開２００６−１８０２４４号公報（段落［０００９］）
【発明の開示】
【発明が解決しようとする課題】
【０００６】
しかしながら、上述した特許文献１記載のＩＣカードリーダ装置や、上述したＰＣＩ−ＰＥＤ対応のカードリーダでは、顧客側の上位装置のカードリーダ取り付け面（パネル裏側）に、タンパースイッチやレバー（ＳＷ・レバー）を押すための凸部（突起部）を設ける必要がある。従って、ＳＷ・レバーの位置やストローク等に起因して、上位装置に変更を加えなければならなくなる。その結果、例えば、顧客が従来のカードリーダを別の新しいカードリーダ（例えばセキュリティ機能を強化させたカードリーダ）に載せ替えたい場合には、そのまま交換することができず、わざわざ取り付け部（凸部等）の形状や大きさなどを変更しなければならなかった。
【０００７】
本発明は、以上の点に鑑みてなされたものであり、その目的は、カード処理装置が上位装置から不正に取り外されたことを検知するセキュリティ機能を確保しつつ、上位装置にカード処理装置を載せ替える際の利便性を高めることが可能なタンパー行為検知機構及びカード処理装置を提供することにある。
【課題を解決するための手段】
【０００８】
以上のような課題を解決するために、本発明は、以下のものを提供する。
【０００９】
（１）  上位装置から下位装置が取り外されるタンパー行為を検知するタンパー行為検知機構において、頭部と大径軸部と小径軸部とよりなり、当該小径軸部に形成されたネジ部が前記上位装置のネジ孔に螺合されて、前記下位装置を前記上位装置に固定するネジ部材と、前記下位装置に設けられるとともに前記大径軸部が貫通する貫通孔と、前記ネジ部材の締め付け状態では前記大径軸部に押されて前記貫通孔から退避する一方、前記ネジ部材の緩み状態では前記貫通孔に進出するレバー部材と、前記レバー部材の進退に対応して前記ネジ部材の締め付け状態及び緩み状態を検知する検知スイッチと、を備えることを特徴とするタンパー行為検知機構。
【００１０】
本発明によれば、上位装置から下位装置が不正に取り外されるタンパー行為を検知するタンパー行為検知機構に、頭部と大径軸部と小径軸部とよりなるネジ部材と、大径軸部が貫通する貫通孔と、ネジ部材の締め付け状態では大径軸部に押されて貫通孔から退避する一方、ネジ部材の緩み状態では貫通孔に進出するレバー部材と、レバー部材の進退に対応してネジ部材の締め付け状態及び緩み状態を検知する検知スイッチと、を設けることとしたので、セキュリティ機能を確保しつつ、利便性を高めることができる。
【００１１】
すなわち、上位装置から下位装置が取り外される際に進出するレバー部材の機能と、レバー部材の進出により下位装置が取り外されたことを検知する検知スイッチの機能と、の双方の機能により、不正な取り外しが行われた場合には直ちにそれを検知し、セキュリティ機能を確保することができる。
【００１２】
特に、本発明によれば、レバー部材は、貫通孔から退避したり、貫通孔に進出したりする。そして上位装置に下位装置を取り付ける際には、上位装置に押された貫通孔から退避する。したがって、上位装置のパネルに形成された装置固定部（例えば凸部）を変える必要がなく、上位装置に変更を加える必要がない。その結果、例えば上位装置に下位装置を載せ替える際の利便性を高めることができる。このように、本発明は、セキュリティ性だけでなく、利便性をも高めることができる。
【００１３】
（２）  前記貫通孔に臨む前記レバー部材の端部は、先端に向かって細くなる形状に形成され、前記端部は、前記貫通孔の前記上位装置側の端部に突出することを特徴とするタンパー行為検知機構。
【００１４】
本発明によれば、上述した貫通孔に臨むレバー部材の端部は、先端に向かって細くなる形状に形成され、貫通孔の上位装置側の端部に突出するように構成されている。したがって、そのレバー部材の端部は、ネジ部材の大径軸部と小径軸部との境界近傍に当接することになるため、ネジ部材のわずかな緩みも検知することができ（ネジ部材が上位装置から離反する方向に僅かに移動したことも検知することができ）、ひいてはセキュリティ性を更に向上させることができる。
【００１５】
（３）  前記大径軸部の直径と前記貫通孔の直径がほぼ等しいことを特徴とするタンパー行為検知機構。
【００１６】
本発明によれば、上述した大径軸部の直径と貫通孔の直径がほぼ等しいこととしたので、レバー部材にとって余計な遊びがなく、タンパー行為検知の正確性を高めることができる。
【００１７】
（４）  前記ネジ孔は、前記下位装置が取り付けられる前記上位装置の取り付け面から突出する第１の凸部に形成されるとともに、前記貫通孔は、前記第１の凸部を収容するように前記下位装置に設けられた凹部の底に形成されていることを特徴とするタンパー行為検知機構。
【００１８】
本発明によれば、上述したネジ孔は、下位装置が取り付けられる上位装置の取り付け面から突出する第１の凸部に形成されるとともに、貫通孔は、第１の凸部を収容するように前記下位装置に設けられた凹部の底に形成されていることとしたので、小径軸部に形成されたネジ部が上位装置のネジ孔と螺合しているとき、外部から第１の凸部を視認することができないとともに、外部から第１の凸部に接触することも困難になる。したがって、セキュリティ性を更に向上させることができる。このように、凹凸のラビリンス構造の底に、上位装置と下位装置が接触する部分（貫通孔の上位装置側の端部）を設けることによって、レバー部材に対する外部からのアクセスが困難になり、ひいてはレバー部材の機能が妨害されるのを防ぐことができる。
【００１９】
（５）  前記下位装置が取り付けられる前記上位装置の取り付け面から突出する第２の凸部と、前記凹部の底に設けられるとともに、前記第２の凸部が押圧することによる押圧力の変化を検知する押圧検知手段を備えることを特徴とするタンパー行為検知機構。
【００２０】
本発明によれば、タンパー行為検知機構は、下位装置が取り付けられる上位装置の取り付け面から突出する第２の凸部と、上述した凹部の底に設けられ、第２の凸部が押圧することによる押圧力の変化を検知する押圧検知手段（圧力スイッチなど）と、を備えることとしたので、万が一レバー部材のタンパー行為検知機能が働かない場合であっても、不正なタンパー行為が実行されるのを防ぐことができる。
【００２１】
（６）  （１）から（５）のいずれか記載のタンパー行為検知機構を備えるカード処理装置であって、前記下位装置は、前記上位装置の開口から露出するフロントフェイス及びカード挿入口を有するベゼルと、前記カード挿入口に挿入されたカードに記録された情報の読み取り及び書き込みを行うカード処理部と、前記ベゼルと密着して前記カード処理部を封止するケース体と、前記フロントフェイスの外周に設けられるとともに、前記下位装置が取り付けられる前記上位装置の取り付け面に当接する固定面と、を備え、前記凹部は、固定面に設けられたことを特徴とするカード処理装置。
【００２２】
本発明によれば、上述したタンパー行為検知機構を備えるカード処理装置で、ベゼルと、カード処理部と、ケース体と、固定面とが設けられている。そして、これらのうちの固定面に、上述した凹部が設けられることとしたので、外部からは視認し得ない固定面に対し、外部からのアクセスは困難である結果、凹部へのアクセスも困難になり、ひいてはレバー部材について機能妨害が行われることを防止することができる。
【００２３】
（７）  前記レバー部材は、前記ベゼルから前記カード処理部付近まで延設され、前記検知スイッチは、前記カード処理部の制御回路に接続されて、前記レバーの作動を検知することを特徴とするカード処理装置。
【００２４】
本発明によれば、レバー部材は、ベゼルからカード処理部付近まで延設され、検知スイッチは、カード処理部の制御回路に接続されて、レバーの作動を検知することとしたので、安価かつ簡易な構成で、カード処理装置にタンパー行為検知機能を付加することができる。
【００２５】
（８）  前記検知スイッチ又は前記押圧検知手段の検知に基づいて、前記上位装置から前記下位装置が取り外される可能性を検知すると、前記カード処理部の所定データが消去されることを特徴とするカード処理装置。
【００２６】
本発明によれば、上述した検知スイッチ又は押圧通知手段が、下位装置の取り外しを検知すると、カード処理部の所定データが消去されることとしたので、重要データが漏洩するのを防ぐことができ、ひいてはより安全なセキュリティ性を実現することができる。
【発明の効果】
【００２７】
本発明に係るタンパー行為検知機構及びカード処理装置によれば、下位装置が上位装置から取り外されたとき、レバー部材及び押圧検知手段によって、直ちにそれが検知されることから、セキュリティ機能を確保することができる。また、レバー部材は、貫通孔内で退避・進出することから、下位装置を載せ替える場合であっても、上位装置のパネルに形成された装置固定部に変更を加える必要がなく、利便性を高めることができる。特に、貫通孔内で退避・進出するようにすれば、外部からのアクセスが困難になり、更にセキュリティ性を高めることができる。
【発明を実施するための最良の形態】
【００２８】
以下、本発明を実施するための最良の形態について、図面を参照しながら説明する。
【００２９】
［機械構成］
図１は、本発明の実施の形態に係るカードリーダ１が上位装置１００（例えばＡＴＭやＫｉｏｓｋ端末など）に取り付けられている様子を示す図である。図２は、本発明の実施の形態に係るカードリーダ１の外観を示す斜視図である。なお、本実施形態では、カード処理装置の一例として、図１に示すカードリーダ１を採用するが、本発明は、他の種類のカードリーダにも適用可能である。
【００３０】
図１及び図２において、カードリーダ１は、上位装置１００のパネル３０の開口から露出するフロントフェイス１１及びカード挿入口１２を有するベゼル１０と、カード挿入口１２から挿入されたカードに記録された情報の読み取り及び書き込みを行うカード処理部（図示せず。ＣＰＵ，ＲＯＭ及びＲＡＭなどの電気要素から構成される）と、ベゼル１０と密着して、カード処理部を封止するケース体２０と、を有している。なお、ケース体２０は、図示しないネジによってベゼル１０に取り付けられている。
【００３１】
ベゼル１０には、フロントフェイス１１の外周に設けられるとともに、カードリーダ１が取り付けられる上位装置１００の取り付け面に当接する固定面１４が設けられている。
【００３２】
フロントフェイス１１及び固定面１４は、パネル３０から上位装置１００の内側へ後退する段状に形成されている。すなわち、固定面１４を含む面よりも前方（図２でいうと手前）にフロントフェイス１１が形成されている。これにより、パネル３０を介して外部から視認することができるのは、フロントフェイス１１のみとなり、固定面１４については外部から視認することができなくなる。
【００３３】
ここで、本実施形態に係るカードリーダ１では、図２に示すように、固定面１４に凹部１３が形成されている。また、この凹部１３の底には、貫通孔１５が（２個）形成されている（ベゼル１０には、合計４個の貫通孔１５が形成されている）。そして、そのうち片方の貫通孔１５の内部には、レバー部材１６が設けられている。一方、凹部１３内において、貫通孔１５とは別の場所にシートスイッチ１７が設けられている。以下、レバー部材１６とシートスイッチ１７を利用したタンパー行為検知機構の詳細について、図３及び図４を用いて詳述する。
【００３４】
なお、図２では、レバー部材１６を４箇所ある貫通孔１５のうち、手前からみて左下の貫通孔１５に設けることとしたが、どこに設けることとしてもよい。また、複数個の貫通孔１５に設けることも可能である。また、上位装置１００のパネル３０にカードリーダ１を取り付けるにあたっては、貫通孔１５を利用して、ネジ止めする（ネジは図示せず）。すなわち、カードリーダ１は、固定面１４の裏側（図２でいうと奥側）から貫通孔１５を通じてネジ止めされるようになっている。
【００３５】
［タンパー行為検知機構］
図３は、本発明の実施の形態に係るタンパー行為検知機構のうち、レバー部材１６を用いた検知機構を詳細に説明するための説明図である。
【００３６】
図３（ａ）において、カードリーダ１の固定面１４は、パネル３０の取り付け面に当接している。また、パネル３０では、その取り付け面から突出する第１の凸部３０ａが形成されているとともに、この第１の凸部３０ａの中央には、ネジ孔３０ｂが形成されている。
【００３７】
凹部１３は、第１の凸部３０ａを収容するように、カードリーダ１の固定面１４に設けられている。そして、上述したように、この凹部１３の底には貫通孔１５が形成され、貫通孔１５の内部にはレバー部材１６の端部１６ａが進出している。
【００３８】
レバー部材１６は、ブラケット１６ｂと一体に移動して、端部１６ａを貫通孔１５から後退させたり、端部１６ａを貫通孔１５に進出させたりする。また、ブラケット１６ｂは、戻しバネ３２と連結されており、この戻しバネ３２の引力により、レバー部材１６の端部１６ａが貫通孔１５に進出するようになっている（図３（ａ）参照）。
【００３９】
ブラケット１６ｂのカード挿入方向側（図３（ａ）中の矢印参照）には、マイクロスイッチ４０が配置されており、レバー部材１６と一体に移動するブラケット１６ｂの動きを検知している。なお、レバー部材１６は、ベゼル３０からカード処理部付近まで延設されており、マイクロスイッチ４０は、カード処理部の制御回路に接続されて、レバー部材１６の作動を検知することができるようになっている。
【００４０】
また、仮に、レバー部材１６の作動を検知した、すなわち上位装置１００からカードリーダ１が取り外される可能性（後述するネジ部材１８が緩んだ等）を検知すると、カード処理部の所定データ（秘密データ）は消去されるようになっている。
【００４１】
次に、図３（ｂ）及び図３（ｃ）は、カードリーダ１において、タンパー行為が検知される様子を示している。
【００４２】
図３（ｂ）に示すように、カードリーダ１は、ネジ部材１８によって、上位装置のパネル３０に取り付けられる。より具体的には、ネジ部材１８は、頭部１８ａと大径軸部１８ｂと小径軸部１８ｃとよりなり、小径軸部１８ｃに形成されたネジ部（小径軸部１８ｃの表面）が上位装置１００のネジ孔３０ｂに螺合されて、カードリーダ１は上位装置１００に固定される。また、ネジ部材１８の小径軸部１８ｃ及び大径軸部１８ｂは、カードリーダ１の凹部１３に設けられた貫通孔１５を（全部又は一部）貫通する。
【００４３】
一方、レバー部材１６の端部１６ａは、ネジ部材１８が締め付けられた状態（締め付け状態）では、大径軸部１８ｂに押されて貫通孔１５から退避する一方、ネジ部材１８が緩んだ状態（緩み状態）では、貫通孔１５に進出するようになっている。図３（ｂ）は、締め付け状態を示している。
【００４４】
そして、図３（ｃ）に示すように、ネジ部材１８が不正に緩められると、ネジ部材１８がカード挿入方向に移動して、締め付け状態から緩み状態に遷移する。このとき、ネジ部材１８のうち小径軸部１８ｃと大径軸部１８ｂとの間には段差があることから、レバー部材１６の端部１６ａは貫通孔１５に進出する。その結果、マイクロスイッチ４０のＯＮ・ＯＦＦが切り替わる。
【００４５】
マイクロスイッチ４０は、戻しバネ３２の引力によって、レバー部材１６の端部１６ａが貫通孔１５に進出している場合には、ＯＦＦとなる。一方、パネル３０が取り付けられて、レバー部材１６の端部１６ａが貫通孔１５から退避した場合には、ＯＮとなる。従って、このような動作をするマイクロスイッチ４０によれば、レバー部材１６の進退に対応してネジ部材１８の締め付け状態と緩み状態を検知することができ、ひいては上位装置１００（のパネル３０）からカードリーダ１が不正に取り外されたか否かを検知することができる。
【００４６】
なお、レバー部材１６の種類としては、回転式でもスライド式でもよい。回転式の場合、支点１６ｃを中心にレバー部材１６が回転する。スライド式の場合、貫通孔１５に対して、ネジ部材１８とほぼ直交する方向に進退自在にスライドする。また、本実施形態では、検知スイッチの一例としてマイクロスイッチ４０を採用したが、リーフスイッチや遮光スイッチなど、その種類の如何を問わない。
【００４７】
また、本実施形態では、貫通孔１５に臨むレバー部材１６の端部１６ａを、先端に向かって細くなる形状に形成し、貫通孔１５の上位装置１００側の端部に突出するようにしているが、本発明はこれに限られない。すなわち、端部１６ａの形状はどのような形状であってもよいし、貫通孔１５のどこから端部１６ａを進出させてもよい。さらに、本実施形態では、ネジ部材１８の大径軸部１８ｂの直径と貫通孔１５の直径がほぼ等しくなっているが、本発明はこれに限られない。
【００４８】
図４は、本発明の実施の形態に係るタンパー行為検知機構のうち、シートスイッチ１７を用いた検知機構を詳細に説明するための説明図である。
【００４９】
図４において、固定面１４に設けられた凹部１３の底には、シートスイッチ１７が設けられている。これは、上位装置１００の取り付け面から突出する第２の凸部３０ｃが押圧することによる押圧力の変化を検知することができるものである。このようなシートスイッチ１７を設けることで、何らかの故障等により、万が一ネジ部材１８が抜き取られた場合であっても、カードリーダ１が上位装置１００から取り外された瞬間に、タンパー行為を検知することができることから、セキュリティ性を更に向上させることができる。
【００５０】
なお、「押圧検知手段」としては、圧力スイッチ又は圧力センサなど、第２の凸部３０ｃによる押圧力の変化を検知しうるものであれば、如何なるものであってもよい。
【００５１】
［実施形態の効果］
以上説明したように、本実施形態に係るカードリーダ１によれば、上位装置１００から取り外される際に端部１６ａが進出するレバー部材１６の機能と、レバー部材１６の進出によりカードリーダ１が取り外されたことを検知するマイクロスイッチ４０の機能と、の双方の機能により、不正な取り外しが行われた場合には直ちにそれを検知することができるため、セキュリティ性を確保することができる。
【００５２】
また、そのレバー部材１６の端部１６ａは、貫通孔１５に侵入してきた上位装置１００の第１の凸部３０ａによって勝手に退避することから、カードリーダ１を載せ替える場合であっても、特に、第１の凸部３０ａの形状等を変更する必要はない。したがって、上位装置１００にカードリーダ１を載せ替える際に、利便性を高めることができる。
【００５３】
また、レバー部材１６の端部１６ａが貫通孔１５内に進出するように構成することで、外部からのアクセスを困難にし、タンパー行為を牽制することができる。
【００５４】
また、本実施形態に係るタンパー行為検知機構において用いられるネジ部材１８は、頭部１８ａ，大径軸部１８ｂ及び小径軸部１８ｃから構成されており、レバー部材１６の端部１６ａは、大径軸部１８ｂと小径軸部１８ｃの境界近傍に当接することになるので、ネジ部材１８のわずかな緩みも検知することができ、セキュリティレベルを高めることができる。
【００５５】
また、本実施形態では、大径軸部１８ｂの直径と貫通孔１５の直径がほぼ等しいので、レバー部材１６に余計な遊びがなく、タンパー行為検知の正確性を高めることができる。
【００５６】
また、貫通孔１５は、カードリーダ１の凹部１３の底に形成されているので、外部から第１の凸部３０ａを視認したり、アクセスしたりすることができない。これにより、セキュリティ性を更に向上させることができる。
【００５７】
さらに、本実施形態に係るカードリーダ１では、タンパー行為検知機構として、シートスイッチ１７による検知も行っている（図４参照）。このシートスイッチ１７は、凹凸のラビリンス構造の底に設けられ、万が一レバー部材１６が故障していた場合であっても、上位装置１００からカードリーダ１が不正に取り外されたことを検知することができる。したがって、セキュリティ性を更に高めることができる。
【００５８】
また、タンパー行為検知機構としてレバー部材１６やマイクロスイッチ４０といった汎用性の高い部材・部品を用いているので、安価かつ簡易な構成で、カードリーダ１にタンパー行為検知機能を付加することができる。
【００５９】
さらに、上述したように、上位装置１００からカードリーダ１が取り外される可能性（ネジ部材１８が緩んだ等）を検知すると、カード処理部の所定データ（秘密データ）が消去されるようになっているので、重要なデータや機密データが漏洩するのを防ぐことができ、ひいてはより安全なセキュリティ性を実現することができる。
【００６０】
［変形例］
本実施形態に係るカードリーダ１では、ネジ部材１８を用いてレバー部材１６を退避させることとしたが、例えば、カードリーダ１がパネル３０に取り付けられた状態で装置固定部（例えば上位装置１００の凸部）に押圧されて後退し、カードリーダ１がパネルから取り外された際に進出するようなレバー部材１６を採用してもよい。より具体的には、固定面１４が、フロントフェイス１１から装置内側へ後退する段状に形成されるとともに、レバー部材１６が、固定面１４からパネル３０の装置固定部（例えば凸部）に突出するような構成とする。これにより、上位装置１００のパネル３０に形成された装置固定部に変更を加える必要がなくなるため、上位装置１００にカードリーダ１を載せ替える際の利便性を高めることができる。
【００６１】
また、この場合、フロントフェイス１１の外周側に、パネル３０の装置内側の開口周縁に当接する周縁当接部が設けられていてもよい。これにより、フロント側からのタンパー行為を効果的に防止することができる。
【産業上の利用可能性】
【００６２】
本発明に係るカード処理装置は、上位装置から不正に取り外された際にそれを検知し、セキュリティ性を確保するとともに、カード処理装置の載せ替えを行う際の利便性を高めることが可能なものとして有用である。
【図面の簡単な説明】
【００６３】
【図１】本発明の実施の形態に係るカードリーダが上位装置に取り付けられている様子を示す図である。
【図２】、本発明の実施の形態に係るカードリーダの外観を示す斜視図である。
【図３】本発明の実施の形態に係るタンパー行為検知機構のうち、レバー部材を用いた検知機構を詳細に説明するための説明図である。
【図４】本発明の実施の形態に係るタンパー行為検知機構のうち、シートスイッチを用いた検知機構を詳細に説明するための説明図である。
【符号の説明】
【００６４】
１    カードリーダ
１０  ベゼル
１１  フロントフェイス
１２  カード挿入口
１３  凹部
１４  固定面
１５  貫通孔
１６  レバー部材
１６ａ  端部
１６ｂ  ブラケット
１７  シートスイッチ
１８  ネジ部材
１８ａ  頭部
１８ｂ  大径軸部
１８ｃ  小径軸部
２０  ケース体
３０  パネル
３２  戻りバネ
４０  マイクロスイッチ
１００  上位装置
【図１】
0005017583.tif 000002
【図２】
0005017583.tif 000003
【図３】
0005017583.tif 000004
【図４】
0005017583.tif 000005